(57)【特許請求の範囲】
【請求項１】
送信信号を無線周波数（ＲＦ）帯の信号に変換する際にイメージ成分を抑圧するイメージキャンセル型ミキサ回路において、
局部発振周波数（ＬＯ）信号入力ポートに入力されるＬＯ信号については第１の出力ポートと第２の出力ポートに同位相同振幅で分配し、前記ＬＯ信号入力ポートに入力されるＲＦ信号帯の不要波成分については前記第２の出力ポートにおける位相が前記第１の出力ポートにおける位相に対して９０°遅れる位相差を与える分配手段と、
第１の送信信号とこの第１の送信信号に対して位相が９０°遅れる第２の送信信号とを出力する送信信号出力手段と、
前記第１の出力ポートに出力されたＬＯ信号と前記第１の送信信号とを混合して、前記第１の送信信号をＲＦ信号に変換する第１の混合手段と、
前記第２の出力ポートに出力されたＬＯ信号と前記第２の送信信号とを混合して、前記第２の送信信号をＲＦ信号に変換する第２の混合手段と、
前記第１の混合手段から出力されたＲＦ信号に対して前記第２の混合手段から出力されたＲＦ信号に９０°遅れる位相差を与え、これらのＲＦ信号を加算して出力する加算手段とを備えることを特徴とするイメージキャンセル型ミキサ回路。
【請求項２】
請求項１記載のイメージキャンセル型ミキサ回路において、
前記分配手段は、分布定数回路からなることを特徴とするイメージキャンセル型ミキサ回路。
【請求項３】
請求項２記載のイメージキャンセル型ミキサ回路において、
前記分配手段は、
第１の端子が前記ＬＯ信号入力ポートに接続された第１、第２の線路と、
前記第１の線路の第２の端子と前記第２の線路の第２の端子との間に接続された抵抗と、
第１の端子が前記第１の線路の第２の端子に接続され、第２の端子が前記第１の出力ポートに接続された第１のコイルと、
第１の端子が前記第２の線路の第２の端子に接続され、第２の端子が前記第２の出力ポートに接続された第２のコイルと、
第１の端子が前記第２のコイルの第１の端子に接続された第３の線路と、
第１の端子が前記第３の線路の第２の端子に接続されたコンデンサと、
第１の端子が前記コンデンサの第２の端子に接続され、第２の端子が前記第２のコイルの第２の端子に接続された第４の線路とからなることを特徴とするイメージキャンセル型ミキサ回路。
【請求項４】
請求項１記載のイメージキャンセル型ミキサ回路を備えることを特徴とする送信機。
【請求項５】
送信信号を無線周波数（ＲＦ）帯の信号に変換する際にイメージ成分を抑圧するイメージキャンセル方法において、
局部発振周波数（ＬＯ）信号入力ポートに入力されるＬＯ信号については第１の出力ポートと第２の出力ポートに同位相同振幅で分配し、前記ＬＯ信号入力ポートに入力されるＲＦ信号帯の不要波成分については前記第２の出力ポートにおける位相が前記第１の出力ポートにおける位相に対して９０°遅れる位相差を与える分配手順と、
第１の送信信号とこの第１の送信信号に対して位相が９０°遅れる第２の送信信号とを出力する送信信号出力手順と、
前記第１の出力ポートに出力されたＬＯ信号と前記第１の送信信号とを混合して、前記第１の送信信号をＲＦ信号に変換する第１の混合手順と、
前記第２の出力ポートに出力されたＬＯ信号と前記第２の送信信号とを混合して、前記第２の送信信号をＲＦ信号に変換する第２の混合手順と、
前記第１の混合手順で得られたＲＦ信号に対して前記第２の混合手順で得られたＲＦ信号に９０°遅れる位相差を与え、これらのＲＦ信号を加算して出力する加算手順とを備えることを特徴とするイメージキャンセル方法。
【発明の詳細な説明】
【技術分野】
【０００１】
本発明は、マイクロ波帯の送信機に係り、特に送信信号を無線周波数帯へアップコンバートする際に用いるイメージキャンセル型ミキサ回路に関するものである。
【背景技術】
【０００２】
通信に用いられるマイクロ波帯の送信機においては、一般に直交変調を用いて送信信号を無線周波数帯へアップコンバートした後に送信している。また、直交変調回路において、送信信号にイメージ成分（妨害成分）が含まれる場合、このイメージ成分が受信機の受信特性に劣化をもたらすため、イメージキャンセル型（あるいはイメージリジェクション型）ミキサ回路を用いて、ミキサで発生するイメージ成分を抑圧するようにしている。
【０００３】
マイクロ波帯の送信機における、ハーモニックミキサを用いた一般的なイメージキャンセル型ミキサ回路を図４に示す。このイメージキャンセル型ミキサ回路は、局部発振周波数（ＬＯ）信号帯の同位相均等分配回路１０１と、中間周波数（ＩＦ）信号帯の９０°ハイブリッド回路１０２と、ミキサ１０３，１０４と、無線周波数（ＲＦ）信号帯の９０°ハイブリッド回路１０５とから構成される。図４において、１０６はＬＯ信号入力ポート、１０７，１０８は同位相均等分配回路１０１の出力ポート、１０９はＩＦ信号入力ポート、１１０，１１１は９０°ハイブリッド回路１０２の出力ポート、１１２，１１３は９０°ハイブリッド回路１０５の入力ポート、１１４はＲＦ信号出力ポートである。
【０００４】
同位相均等分配回路１０１は、ポート１０６に入力されるＬＯ信号をポート１０７と１０８に同位相同振幅で均等に分配して出力する。
９０°ハイブリッド回路１０２は、ポート１０９に入力されるＩＦ信号の位相を変えることにより、位相が９０°異なるＩＦ信号をポート１１０と１１１に出力する。ポート１１０から出力されるＩＦ信号は、ポート１０９に入力されるＩＦ信号と同位相（０°）のＩＦ信号、ポート１１１から出力されるＩＦ信号は、ポート１１０から出力されるＩＦ信号に対して位相が９０°遅れるＩＦ信号である。
【０００５】
ミキサ１０３，１０４は、同等の特性を持つハーモニックミキサである。ミキサ１０３は、ポート１０７から出力されたＬＯ信号とポート１１０から出力されたＩＦ信号とを混合することにより、ＩＦ信号をＲＦ信号にアップコンバートする。同様に、ミキサ１０４は、ポート１０８から出力されたＬＯ信号とポート１１１から出力されたＩＦ信号とを混合することにより、ＩＦ信号をＲＦ信号にアップコンバートする。
【０００６】
９０°ハイブリッド回路１０５は、ミキサ１０３から出力されポート１１２に入力されるＲＦ信号とミキサ１０４から出力されポート１１３に入力されるＲＦ信号との間に９０°の位相差を与えて、これらのＲＦ信号を加算する。すなわち、ポート１１３に入力されるＲＦ信号は、ポート１１２に入力されるＲＦ信号に対して位相が９０°遅れて、ポート１１４に出力される。
【０００７】
また、イメージキャンセル型ミキサ回路の別の構成として、特許文献１に開示されたものがある。図５は特許文献１に開示されたイメージキャンセル型ミキサ回路の構成を示すブロック図である。
局部発振部２０１は、周波数シンセサイザ等の発振回路であり、生成したＬＯ信号を移相器２０２へ出力する。
【０００８】
移相器２０２は、局部発振部２０１から入力されたＬＯ信号の位相を変化させることにより、互いに位相が９０度異なる第１のＬＯ信号と第２のＬＯ信号を生成してイメージ抑圧型ミキサ２０３へ出力する。
イメージ抑圧型ミキサ２０３のポート２０６，２０７には、直交変調された互いに位相が９０度異なる第１のＩＦ信号、第２のＩＦ信号が入力される。イメージ抑圧型ミキサ２０３は、例えばアナログ信号処理のミキサ回路であり、ポート２０６，２０７に入力された第１のＩＦ信号、第２のＩＦ信号とポート２０４，２０５に入力された第１のＬＯ信号、第２のＬＯ信号とを混合して加算または減算することにより、ＩＦ信号をＲＦ信号にアップコンバートしてポート２０８に出力すると共に、不要成分であるイメージ成分のレベルを抑圧する。
【０００９】
【特許文献１】特開２００４−３４９７８９号公報
【発明の開示】
【発明が解決しようとする課題】
【００１０】
図４に示したイメージキャンセル型ミキサ回路では、ポート１０６にＲＦ信号帯の不要波成分が入力された場合、この不要波成分がＲＦ信号の出力ポート１１４に漏れてしまうという問題点があった。ＲＦ信号帯の不要波成分が出力ポート１１４に漏れ出してしまうと、この不要波成分の周波数がＲＦ信号付近であるために、外部のフィルターによる抑圧が難しい。このＲＦ信号帯の不要波成分を抑圧するためには、同位相均等分配回路１０１の前にローパスフィルタを挿入しなければならなかった。
【００１１】
例えば図４で記載していない局部発振部のアンプが飽和状態にあり、このアンプがＬＯ信号とＬＯ信号の２倍の周波数の信号（２×ＬＯ信号）をポート１０６に出力した場合、２×ＬＯ信号はそのままポート１１４へ不要波成分として漏れ出してしまう。この２×ＬＯ信号は周波数がＲＦ信号付近の信号であるため、外部のフィルターによる抑圧が難しい。したがって、図４に示したイメージキャンセル型ミキサ回路では、ＬＯ信号を通過させ２×ＬＯ信号を抑圧するというローパスフィルタを、局部発振部と同位相均等分配回路１０１との間に付加しなければならなので、回路規模が大きくなってしまうという問題点があった。
【００１２】
同様に、図５に示したイメージキャンセル型ミキサ回路においても、局部発振部２０１からＲＦ信号帯の不要波成分が出力されると、この不要波成分が出力ポート２０８に漏れてしまうという問題点があった。この不要波成分を抑圧するためには、ＬＯ信号を通過させ不要波成分を抑圧するというローパスフィルタを、局部発振部２０１と移相器２０２との間に付加しなければならなので、回路規模が大きくなってしまう。
【００１３】
本発明は、上記課題を解決するためになされたもので、ローパスフィルタを付加することなく、ＲＦ信号帯の不要波成分のリークを抑圧することができるイメージキャンセル型ミキサ回路、送信機およびイメージキャンセル方法を提供することを目的とする。
【課題を解決するための手段】
【００１４】
本発明は、送信信号を無線周波数（ＲＦ）帯の信号に変換する際にイメージ成分を抑圧するイメージキャンセル型ミキサ回路において、局部発振周波数（ＬＯ）信号入力ポートに入力されるＬＯ信号については第１の出力ポートと第２の出力ポートに同位相同振幅で分配し、前記ＬＯ信号入力ポートに入力されるＲＦ信号帯の不要波成分については前記第２の出力ポートにおける位相が前記第１の出力ポートにおける位相に対して９０°遅れる位相差を与える分配手段と、第１の送信信号とこの第１の送信信号に対して位相が９０°遅れる第２の送信信号とを出力する送信信号出力手段と、前記第１の出力ポートに出力されたＬＯ信号と前記第１の送信信号とを混合して、前記第１の送信信号をＲＦ信号に変換する第１の混合手段と、前記第２の出力ポートに出力されたＬＯ信号と前記第２の送信信号とを混合して、前記第２の送信信号をＲＦ信号に変換する第２の混合手段と、前記第１の混合手段から出力されたＲＦ信号に対して前記第２の混合手段から出力されたＲＦ信号に９０°遅れる位相差を与え、これらのＲＦ信号を加算して出力する加算手段とを備えるものである。
また、本発明のイメージキャンセル型ミキサ回路の１構成例において、前記分配手段は、分布定数回路からなるものである。
また、本発明のイメージキャンセル型ミキサ回路の１構成例において、前記分配手段は、第１の端子が前記ＬＯ信号入力ポートに接続された第１、第２の線路と、前記第１の線路の第２の端子と前記第２の線路の第２の端子との間に接続された抵抗と、第１の端子が前記第１の線路の第２の端子に接続され、第２の端子が前記第１の出力ポートに接続された第１のコイルと、第１の端子が前記第２の線路の第２の端子に接続され、第２の端子が前記第２の出力ポートに接続された第２のコイルと、第１の端子が前記第２のコイルの第１の端子に接続された第３の線路と、第１の端子が前記第３の線路の第２の端子に接続されたコンデンサと、第１の端子が前記コンデンサの第２の端子に接続され、第２の端子が前記第２のコイルの第２の端子に接続された第４の線路とからなるものである。
また、本発明の送信機は、前記イメージキャンセル型ミキサ回路を備えることを特徴とするものである。
【００１５】
また、本発明のイメージキャンセル方法は、局部発振周波数（ＬＯ）信号入力ポートに入力されるＬＯ信号については第１の出力ポートと第２の出力ポートに同位相同振幅で分配し、前記ＬＯ信号入力ポートに入力されるＲＦ信号帯の不要波成分については前記第２の出力ポートにおける位相が前記第１の出力ポートにおける位相に対して９０°遅れる位相差を与える分配手順と、第１の送信信号とこの第１の送信信号に対して位相が９０°遅れる第２の送信信号とを出力する送信信号出力手順と、前記第１の出力ポートに出力されたＬＯ信号と前記第１の送信信号とを混合して、前記第１の送信信号をＲＦ信号に変換する第１の混合手順と、前記第２の出力ポートに出力されたＬＯ信号と前記第２の送信信号とを混合して、前記第２の送信信号をＲＦ信号に変換する第２の混合手順と、前記第１の混合手順で得られたＲＦ信号に対して前記第２の混合手順で得られたＲＦ信号に９０°遅れる位相差を与え、これらのＲＦ信号を加算して出力する加算手順とを備えるものである。
【発明の効果】
【００１６】
本発明によれば、分配手段が、ＬＯ信号を同位相同振幅で分配すると共に、ＲＦ信号帯の成分を位相差が９０°となるように分配し、加算手段が、第１の混合手段から出力されたＲＦ信号に対して第２の混合手段から出力されたＲＦ信号に９０°遅れる位相差を与えることにより、第１、第２の混合手段から出力されるＲＦ信号帯の不要波成分が互いに打ち消しあうように合成されるので、分配手段の前にローパスフィルタを付加することなく、ＬＯ信号入力ポートから入力されるＲＦ信号帯の不要波成分のリークを抑圧することができる。その結果、本発明では、回路規模を増大させることなく、不要波成分のリークを抑圧することが可能である。
【発明を実施するための最良の形態】
【００１７】
以下、本発明の実施の形態について図面を参照して説明する。図１は本発明の実施の形態に係るイメージキャンセル型ミキサ回路の構成を示すブロック図である。本実施の形態のイメージキャンセル型ミキサ回路は、分配器１と、中間周波数（ＩＦ）信号帯の９０°ハイブリッド回路２と、ミキサ３，４と、無線周波数（ＲＦ）信号帯の９０°ハイブリッド回路５とから構成される。図４において、６は局部発振周波数（ＬＯ）信号入力ポート、７，８は分配器１の出力ポート、９はＩＦ信号入力ポート、１０，１１は９０°ハイブリッド回路２の出力ポート、１２，１３は９０°ハイブリッド回路５の入力ポート、１４はＲＦ信号出力ポートである。
【００１８】
本実施の形態の特徴である分配器１は、ＬＯ信号入力ポート６に入力されるＬＯ信号については出力ポート７と８において同位相同振幅となり、ＬＯ信号入力ポート６に入力されるＲＦ信号帯の不要波成分については出力ポート８における位相が出力ポート７における位相に対して９０°遅れるような位相差を作る回路である。すなわち、分配器１は、９０°ハイブリッド回路５のポート１２に入力されるＲＦ信号帯の不要波成分の位相に対して、ポート１３に入力されるＲＦ信号帯の不要波成分の位相が９０°遅れるようにする。
【００１９】
送信信号出力手段となる９０°ハイブリッド回路２は、ポート９に入力されるＩＦ信号の位相を変えることにより、位相が９０°異なるＩＦ信号をポート１０と１１に出力する。ポート１０から出力されるＩＦ信号（第１の送信信号）は、ポート９に入力されるＩＦ信号と同位相（０°）のＩＦ信号、ポート１１から出力されるＩＦ信号（第２の送信信号）は、ポート１０から出力されるＩＦ信号に対して位相が９０°遅れるＩＦ信号である。
【００２０】
混合手段となるミキサ３，４は、同等の特性を持つハーモニックミキサである。ミキサ３は、ポート７から出力されたＬＯ信号とポート１０から出力されたＩＦ信号とを混合することにより、ＩＦ信号をＲＦ信号にアップコンバートする。同様に、ミキサ４は、ポート８から出力されたＬＯ信号とポート１１から出力されたＩＦ信号とを混合することにより、ＩＦ信号をＲＦ信号にアップコンバートする。
【００２１】
加算手段となる９０°ハイブリッド回路５は、ミキサ３から出力されポート１２に入力されるＲＦ信号とミキサ４から出力されポート１３に入力されるＲＦ信号との間に９０°の位相差を与えて、これらのＲＦ信号を加算する。すなわち、ポート１３に入力されるＲＦ信号は、ポート１２に入力されるＲＦ信号に対して位相が９０°遅れて、ポート１４に出力される。
以上のとおり、分配器１は、ＬＯ信号については同位相同振幅で分配する。したがって、図１の回路は、図４と同様にイメージキャンセル型ミキサ回路として動作する。
【００２２】
一方、分配器１は、ＬＯ信号入力ポート６に入力された不要波成分については９０°の位相差を与えて分配する。つまり、ミキサ３に入力される不要波成分に対して９０°遅れた不要波成分がミキサ４に入力される。「ポート７→ミキサ３→ポート１２」間と「ポート８→ミキサ４→ポート１３」間においては不要波成分の位相関係にずれは生じないので、ハイブリッド５のポート１２に入力される不要波成分の位相に対して、ポート１３に入力される不要波成分の位相は９０°遅れたまま入力される。
【００２３】
ポート１３に入力された不要波成分は、９０°ハイブリッド回路５の働きにより、ポート１２に入力された不要波成分に対して更に９０°遅れる。よって、全体としては９０°ハイブリッド回路５において、ポート１３に入力された不要波成分の位相は、ポート１２に入力された不要波成分に対して１８０°遅れることになる。「ポート６→分配器１→ポート７→ミキサ３→ポート１２→ハイブリッド回路５」経由の不要波成分と、「ポート６→分配器１→ポート８→ミキサ４→ポート１３→ハイブリッド回路５」経由の不要波成分との位相差が１８０°なので、これらの不要波成分は互いに打ち消しあった上でＲＦ信号出力ポート１４に出力される。
【００２４】
以上のように、本実施の形態では、ＬＯ信号入力ポート６に入力されるＲＦ信号帯の不要波成分を、９０°ハイブリッド回路５で合成される際に互いに打ち消しあうように、分配器１において位相差をつけて分配することにより、分配器１の前にローパスフィルタを付加することなく、不要波成分のリークの抑制が可能になる。
【００２５】
なお、本実施の形態のイメージキャンセル型ミキサ回路を例えばマイクロ波帯の送信機に用いる場合には、ＲＦ信号出力ポート１４から出力されるＲＦ信号を増幅器（不図示）で増幅した上で送信アンテナ（不図示）から送信することになる。
【００２６】
本実施の形態の特徴である分配器１の具体的な回路例を図２に示す。分配器１は、線路３１，３２，３９，４０と、抵抗３３と、コイル３６，３７と、コンデンサ３８とから構成される。
分配器１中の線路３１，３２および抵抗３３は、ＬＯ信号およびＲＦ信号帯の不要波成分に対して同位相均等分配回路を構成している。なお、端子３４と３５間において、ＬＯ信号およびＲＦ信号帯の不要波成分のアイソレーションが十分取れているようにする。
【００２７】
コイル３７のインダクタンスは、ＬＯ信号を通過させ、ＲＦ信号帯の不要波成分を通過させないように選択される。また、コンデンサ３８の容量は、ＲＦ信号帯の不要波成分を通過させ、ＬＯ信号を通過させないように選択される。コイル３６は、コイル３７と同様のものでよい。
線路３９，４０の長さは、線路３９，４０を通過するＲＦ信号帯の不要波成分の位相が、端子３４とポート７との間を通過するＲＦ信号帯の不要波成分の位相に対して９０°遅れるように選択される。
【００２８】
９０°ハイブリッド回路５のポート１２に入力される不要波成分の位相に対して、ポート１３に入力される不要波成分の位相が９０°遅れるよう、分配器１とミキサ３，４と９０°ハイブリッド回路５とを接続することにより、ローパスフィルタを付加することなく、ＬＯ信号入力ポート６に入力されるＲＦ信号帯の不要波成分のリークを抑圧することができる。
【００２９】
以下、図２に示した分配器１の動作を説明する。図２において、ＬＯ信号入力ポート６から入力されたＬＯ信号およびＲＦ信号帯の不要波成分は、端子３４および３５においては同位相同振幅となっている。
図２中で回路４１は、ＬＯ信号がコイル３７側を通過するローパスフィルタとして機能すると同時に、ＲＦ信号帯の不要波成分がコンデンサ３８側を通過するハイパスフィルタとして機能する。コンデンサ３８側をＬＯ信号が通過しないようにコイル３７とコンデンサ３８を選び、コイル３６をコイル３７と同様のものにすれば、端子３４とポート７間と、端子３５とポート８間でＬＯ信号に位相差が生じることはない。
【００３０】
また、コイル３７側をＲＦ信号帯の不要波成分が通過しないようにコイル３７とコンデンサ３８を選び、線路３９と４０を合わせた線路長をＲＦ信号帯の不要波成分の周波数に対して１／４波長に設定すれば、端子３５とポート８間を通過する不要波成分の位相を、端子３４とポート７間を通過する不要波成分の位相に対して９０°遅らせることができる。よって、ポート７と８において、ポート６から入力されたＬＯ信号は同位相となり、ＲＦ信号帯の不要波成分は９０°の位相差がつく。
【００３１】
図２において、ポート８におけるＲＦ信号帯の不要波成分の位相を、ポート７における不要波成分の位相から９０°遅らせつつ、ＬＯ信号の位相をポート７と８で同位相となるようにすれば、ＲＦ信号出力ポート１４において、イメージ成分と不要波成分の抑制が可能となる。
【００３２】
図４および本実施の形態のイメージキャンセル型ミキサ回路のＬＯ信号入力ポート６に、ＲＦ信号帯の不要波成分として、ＬＯ信号の２倍の周波数の信号（２×ＬＯ信号）が入力された場合のＲＦ信号出力ポート１４における出力周波数スペクトラムを図３に示す。図３中の横軸は周波数、縦軸はＲＦ信号出力ポート１４における出力パワーである。
【００３３】
図３中の破線４０１，４０２，４０３は図４のイメージキャンセル型ミキサ回路の出力周波数スペクトラム、実線４１１，４１２，４１３は本実施の形態のイメージキャンセル型ミキサ回路の出力周波数スペクトラムである。また、４０１，４１１はＲＦ信号のスペクトラム、４０２，４１２は２×ＬＯ信号のスペクトラム、４０３，４１３はイメージ信号のスペクトラムである。ＲＦ信号のスペクトラム４０１と４１１は同一周波数であり、２×ＬＯ信号のスペクトラム４０２と４１２は同一周波数であり、イメージ信号のスペクトラム４０３と４１３は同一周波数であるが、図３では表記上ずらして表示している。
【００３４】
なお、図３中の２×ＬＯ信号のスペクトラム４０２，４１２は、ミキサ３，４の不平衡によるものではなく、ＬＯ信号入力ポート６から入力された２×ＬＯ信号のリーク成分を示している。また、ＩＦ信号帯の９０°ハイブリッド回路２におけるポート１０と１１の位相関係を逆にすれば、図３中のＲＦ信号とイメージ信号の周波数関係を逆にできる。
【００３５】
図３中の２×ＬＯ信号のリーク成分のスペクトラム４０２と４１２を比較すると、４１２の方が抑圧されていることが分かる。すなわち、本実施の形態によれば、図４のイメージキャンセル型ミキサ回路に比べて、ＲＦ信号帯の不要波成分を抑圧することが可能である。なお、ＲＦ信号のスペクトラム４０１と４１１との間、およびイメージ信号のスペクトラム４０３と４１３との間には顕著な相違はない。
【産業上の利用可能性】
【００３６】
本発明は、マイクロ波帯の送信機等に適用することができる。
【図面の簡単な説明】
【００３７】
【図１】本発明の実施の形態に係るイメージキャンセル型ミキサ回路の構成を示すブロック図である。
【図２】図１のイメージキャンセル型ミキサ回路の分配器の１例を示す回路図である。
【図３】図１および図４のイメージキャンセル型ミキサ回路のＬＯ信号入力ポートにＲＦ信号帯の不要波成分が入力された場合のＲＦ信号出力ポートにおける出力周波数スペクトラムを示す図である。
【図４】一般的なイメージキャンセル型ミキサ回路の構成を示すブロック図である。
【図５】イメージキャンセル型ミキサ回路の別の構成を示すブロック図である。
【符号の説明】
【００３８】
１…分配器、２…９０°ハイブリッド回路、３，４…ミキサ、５…９０°ハイブリッド回路、３１，３２，３９，４０…線路、３３…抵抗、３６，３７…コイル、３８…コンデンサ。
【図１】
0004883003.tif 000002
【図２】
0004883003.tif 000003
【図３】
0004883003.tif 000004
【図４】
0004883003.tif 000005
【図５】
0004883003.tif 000006